(57)【要約】【課題】所定の温度以上の空気が本体部に吸い込まれることを防止することが可能な送風装置を提供する。【解決手段】送風装置としての熱交換型換気装置１Ａは、外気ＯＡを吸い込み、給気ＳＡとして吹き出す給気ファン４ＳＡと、給気ファン４ＳＡを有した本体部２Ａと、本体部２Ａに形成され、給気ファン４ＳＡで空気が吸い込まれる外気吸込口７０ＯＡと、外気吸込口７０ＯＡに取り付けられ、空気が通るダクトが接続されるＯＡダクトジョイント７３ＯＡと、本体部２Ａに吸い込まれる空気の温度を検知する温度ヒューズ９３を有し、温度ヒューズ９３で検知される空気の温度に基づき、本体部２Ａへの空気の吸い込みを遮断する防火ダンパ９とを備える。【選択図】    図１
2011069554.tif 000002
【特許請求の範囲】
【請求項１】
空気を吸い込み、吸い込んだ空気を吹き出す送風手段と、
前記送風手段を有した本体部と、
前記本体部に形成され、前記送風手段で空気が吸い込まれる吸込口と、
前記吸込口に取り付けられ、空気が通るダクト部材が接続されるダクト接続部材と、
前記本体部に吸い込まれる空気の温度を検知する温度検知手段と、
前記温度検知手段で検知される前記本体部に吸い込まれる空気の温度に基づき、前記本体部への空気の吸い込みを遮断する吸込防止手段と
を備えたことを特徴とする送風装置。
【請求項２】
前記吸込防止手段は、
前記ダクト接続部材を開閉する遮蔽手段と、
前記遮蔽手段を付勢して前記ダクト接続部材を閉じる付勢手段とを備え、
前記温度検知手段は、前記付勢手段の付勢力に抗して前記遮蔽手段を開状態で保持し、前記本体部に吸い込まれる空気の温度が所定の温度に上昇すると熱で溶解して前記遮蔽手段の開状態を解除する温度ヒューズである
ことを特徴とする請求項１記載の送風装置。
【請求項３】
前記吸込防止手段は、前記温度検知手段で検知される前記本体部に吸い込まれる空気の温度が所定の温度に上昇すると、前記送風手段を駆動する駆動手段を停止させる制御手段を備えた
ことを特徴とする請求項１記載の送風装置。
【請求項４】
前記温度検知手段は、電源から前記制御手段に前記駆動手段を駆動する電気を供給する電源線に温度ヒューズを備え、前記本体部に吸い込まれる空気の温度が所定の温度に上昇すると、熱で前記温度ヒューズが溶解して、前記電源から前記制御手段への電気の供給が遮断される
ことを特徴とする請求項３記載の送風装置。
【請求項５】
前記温度検知手段は、前記本体部に吸い込まれる空気の流れに対して上流側で前記ダクト接続部材の内側に配置される
ことを特徴とする請求項１〜請求項４の何れか１項に記載の送風装置。
【請求項６】
前記本体部は、前記ダクト接続部材に対して着脱可能に構成される
ことを特徴とする請求項５記載の送風装置。
【発明の詳細な説明】
【技術分野】
【０００１】
本発明は、ダクトを通して本体部に外気等の空気を吸い込み、吸い込んだ空気を室内等に給気する送風装置に関する。
【背景技術】
【０００２】
ダクトを通して本体部に空気を吸い込み、吸い込んだ空気を吹き出す送風装置として、ダクトを通して本体部に外気を吸い込み、本体部あるいはダクトを通して給気グリルから室内に給気する換気装置、室内の空気を本体部あるいはダクトを通して本体部に吸い込み、吸い込んだ空気をダクトを通して屋外に排気する換気装置、更に、給気と排気の機能を併せ持った換気装置が提案されている。
【０００３】
このような換気装置では、本体部とダクトを介して接続される屋外グリルまたは吸込グリルに、防火ダンパを備えた構成が提案されている（例えば、特許文献１参照）。
【先行技術文献】
【特許文献】
【０００４】
【特許文献１】特許第３５２１７３３号公報
【発明の概要】
【発明が解決しようとする課題】
【０００５】
本体部とダクトを介して接続される屋外グリルに防火ダンパを備えた構成では、所定の熱の検知で防火ダンパが閉じることで、屋外グリルから所定の温度以上の空気が排気されることを防ぐことができる。また、本体部とダクトを介して接続される吸込グリルに防火ダンパを備えた構成では、吸込グリルの外側に熱源があれば、所定の熱の検知で防火ダンパが閉じることで、所定の温度以上の空気がダクトに吸い込まれることを防ぐことができる。
【０００６】
しかし、ダクトが熱源となる場合、所定の温度以上の空気が本体部に吸い込まれることを防止することができなかった。
【０００７】
本発明は、このような課題を解決するためになされたもので、所定の温度以上の空気が本体部に吸い込まれることを防止することが可能な送風装置を提供することを目的とする。
【課題を解決するための手段】
【０００８】
上述した課題を解決するため、本発明は、空気を吸い込み、吸い込んだ空気を吹き出す送風手段と、送風手段を有した本体部と、本体部に形成され、送風手段で空気が吸い込まれる吸込口と、吸込口に取り付けられ、空気が通るダクト部材が接続されるダクト接続部材と、本体部に吸い込まれる空気の温度を検知する温度検知手段と、温度検知手段で検知される本体部に吸い込まれる空気の温度に基づき、本体部への空気の吸い込みを遮断する吸込防止手段とを備えた送風装置である。
【０００９】
本発明の送風装置では、ダクトを通して本体部に空気が吸い込まれる。本体部に吸い込まれる空気の温度が温度検知手段で検知され、本体部に吸い込まれる空気の温度が所定の温度に上昇すると、吸込防止手段で本体部への空気の吸い込みが遮断される。
【発明の効果】
【００１０】
本発明の送風装置によれば、本体部に吸い込まれる空気が通るダクトが熱源にあっても、温度の上昇で空気の吸い込みを遮断できるので、本体部を熱から保護することができる。
【図面の簡単な説明】
【００１１】
【図１】第１の実施の形態としての熱交換型換気装置の一例を示す内部構成図である。
【図２】第１の実施の形態としての熱交換型換気装置の一例を示す平面図である。
【図３】第１の実施の形態としての熱交換型換気装置の一例を示す正面図である。
【図４】第１の実施の形態としての熱交換型換気装置におけるダクト接続構造を示す分解斜視図である。
【図５】本実施の形態の防火ダンパの一例を示す斜視図である。
【図６】本実施の形態の防火ダンパの一例を示す側断面図である。
【図７】防火ダンパが取り付けられたＯＡダクトジョイントの一例を示す側断面図である。
【図８】防火ダンパが取り付けられたＯＡダクトジョイントが設けられた外気・排気ダクトジョイント取付枠の一例を示す斜視図である。
【図９】第１の実施の形態としての熱交換型換気装置の設置例を示す建物の構成図である。
【図１０】第１の実施の形態の他の例としての中間ダクトファンの一例を示す内部構成図である。
【図１１】第１の実施の形態の他の例としての中間ダクトファンの点検状態を示す内部構成図である。
【図１２】第２の実施の形態としての熱交換型換気装置の一例を示す内部構成図である。
【図１３】第２の実施の形態としての熱交換型換気装置の一例を示す機能ブロック図である。
【図１４】送風装置の第３の実施の形態としての熱交換型換気装置の一例を示す内部構成図である。
【図１５】第３の実施の形態としての熱交換型換気装置の一例を示す機能ブロック図である。
【図１６】第３の実施の形態としての熱交換型換気装置の動作の一例を示すフローチャートである。
【図１７】他の実施の形態としての空気清浄装置の一例を示す内部構成図である。
【図１８】他の実施の形態としての空気清浄装置の一例を示す分解斜視図である。
【図１９】他の実施の形態としての空気清浄装置の設置例を示す建物の構成図である。
【発明を実施するための形態】
【００１２】
以下、図面を参照して、本発明の送風装置の実施の形態について説明する。
【００１３】
＜第１の実施の形態の送風装置の構成例＞
図１は、本発明の送風装置の第１の実施の形態としての熱交換型換気装置の一例を示す内部構成図、図２は、第１の実施の形態としての熱交換型換気装置の一例を示す平面図、図３は、第１の実施の形態としての熱交換型換気装置の一例を示す正面図である。
【００１４】
第１の実施の形態としての熱交換型換気装置１Ａは、本体部２Ａとフロントパネル３を備える。熱交換型換気装置１Ａは、本体部２Ａが建物の天井１００内に埋め込まれる形態で取り付けられ、天井パネル１０１から露出した本体部２Ａの下面にフロントパネル３が着脱可能に取り付けられる。
【００１５】
熱交換型換気装置１Ａは、屋外から外気ＯＡを吸い込んで室内へ給気ＳＡを吹き出す空気の流れを発生させる送風手段である給気ファン４ＳＡを本体部２Ａに備える。また、熱交換型換気装置１Ａは、室内から還気ＲＡを吸い込んで屋外へ排気ＥＡを吹き出す空気の流れを発生させる送風手段である排気ファン４ＥＡを本体部２Ａに備える。更に、熱交換型換気装置１Ａは、給気ファン４ＳＡで屋外から吸い込んだ外気ＯＡと排気ファン４ＥＡで室内から吸い込んだ還気ＲＡとの間で熱交換を行う熱交換素子５を本体部２Ａに備える。
【００１６】
熱交換素子５は、給気側の熱交換風路を構成する素材と排気側の熱交換風路を形成する素材が、風路を直交する向きとして積層された直方体形状である。熱交換素子５では、給気側の熱交換風路と排気側の熱交換風路が、熱伝導性を有すると共に空気を通さない隔壁で仕切られ、給気側の熱交換風路を通る空気と排気側の熱交換風路を通る空気との間で熱交換される。
【００１７】
本体部２Ａは、給気風路２０ＳＡと排気風路２０ＥＡを構成する風路形成部材６と、風路形成部材６が収容されるキャビネット７を備える。風路形成部材６は、給気ファンケース４０ＳＡと排気ファンケース４０ＥＡが、例えば発泡材で構成される。
【００１８】
給気ファンケース４０ＳＡは、給気ファン４ＳＡの軸方向に沿った上部にファン吸込口４２ＳＡが形成され、給気ファン４ＳＡの接線方向にファン吹出口４３ＳＡが形成される。排気ファンケース４０ＥＡは、排気ファン４ＥＡの軸方向に沿った上部にファン吸込口４２ＥＡが形成され、給気ファンケース４０ＳＡのファン吹出口４３ＳＡとは逆向きで、排気ファン４ＥＡの接線方向に図示されないファン吹出口が形成される。
【００１９】
ファンモータ４１Ｍは駆動手段の一例で、両軸のモータで構成され、給気ファン４ＳＡが下側の軸に取り付けられ、排気ファン４ＥＡが上側の軸に取り付けられて、給気ファン４ＳＡと排気ファン４ＥＡが同軸上に配置される。ファンモータ４１Ｍは、給気ファンケース４０ＳＡと排気ファンケース４０ＥＡを仕切る仕切り板６０に取り付けられる。
【００２０】
本体部２Ａの内部には、風路形成部材６とキャビネット７により、ファン吸込口４２ＳＡから吸い込まれた空気がファン吹出口４３ＳＡから吹き出される給気風路２０ＳＡが形成される。また、ファン吸込口４２ＥＡから吸い込まれた空気が図示されないファン吹出口から吹き出される排気風路２０ＥＡが形成される。
【００２１】
キャビネット７は、下面が開口した直方体形状を有し、樹脂材料で例えば一体に形成される。キャビネット７は、給気風路２０ＳＡの吸込側とつながる外気吸込口７０ＯＡと、排気風路２０ＥＡの吹出側とつながる図示されない排気吹出口が、長手方向の一方の側面にそれぞれ開口を設けて形成される。また、キャビネット７は、給気風路２０ＳＡの吹出側とつながる給気吹出口７０ＳＡが、長手方向の他方の側面に開口を設けて形成される。
【００２２】
熱交換型換気装置１Ａは、風路形成部材６と押さえ板金７１との間に押さえ部材７２を挟み込む形態で、キャビネット７の下面に押さえ板金７１が取り付けられる。キャビネット７に押さえ板金７１が取り付けられた本体部２Ａには、風路形成部材６とキャビネット７と押さえ部材７２によって熱交換素子５が支持される。また、熱交換素子５とつながる還気吸込口７０ＲＡが、キャビネット７の側面と押さえ板金７１との間の隙間によって形成される。
【００２３】
熱交換型換気装置１Ａは、給気ファン４ＳＡで吸い込まれる外気ＯＡを清浄するＯＡフィルタ８Ａを備える。ＯＡフィルタ８Ａは、外気吸込口７０ＯＡの内側の本体部２Ａに縦向きに取り付けられ、フロントパネル３に設けられた図示しない着脱口カバーを開けることで、上下方向の移動で本体部２Ａに対して着脱が行われる。
【００２４】
熱交換型換気装置１Ａは、排気ファン４ＥＡで吸い込まれる還気ＲＡを清浄するＲＡフィルタ８Ｂを備える。ＲＡフィルタ８Ｂは、フロントパネル３に形成された吸込グリル３０の内側に着脱可能に取り付けられる。フロントパネル３は、吸込グリル３０が開閉可能に構成され、吸込グリル３０を開閉することで、ＲＡフィルタ８Ｂの着脱が行われる。
【００２５】
図４は、第１の実施の形態としての熱交換型換気装置におけるダクト接続構造を示す分解斜視図であり、次に、各図を参照して、熱交換型換気装置１Ａにおけるダクト接続構造について説明する。
【００２６】
熱交換型換気装置１Ａは、外気吸込口７０ＯＡと図示されない排気吹出口が形成されるキャビネット７の一方の側面に、ＯＡダクトジョイント７３ＯＡとＥＡダクトジョイント７３ＥＡが設けられる外気・排気ダクトジョイント取付枠７４ａが取り付けられる。ＯＡダクトジョイント７３ＯＡはダクト接続部材の一例で、外気・排気ダクトジョイント取付枠７４ａに本体部２Ａが取り付けられると、ＯＡダクトジョイント７３ＯＡと外気吸込口７０ＯＡが接続される。また、ＥＡダクトジョイント７３ＥＡと図示されない排気吹出口が接続される。
【００２７】
熱交換型換気装置１Ａは、給気吹出口７０ＳＡが形成されるキャビネット７の他方の側面に、複数のＳＡダクトジョイント７３ＳＡが設けられる給気ダクトジョイント取付枠７４ｂが取り付けられる。給気ダクトジョイント取付枠７４ｂに本体部２Ａが取り付けられると、ＳＡダクトジョイント７３ＳＡと給気吹出口７０ＳＡが接続される。
【００２８】
熱交換型換気装置１Ａは、熱交換素子５を通さずに排気を行う副吸込口７０ＳＥが形成されるキャビネット７の別の側面に、副吸込ダクトジョイント７３ＳＥが設けられる副吸込ダクトジョイント取付枠７４ｃが取り付けられる。副吸込ダクトジョイント取付枠７４ｃに本体部２Ａが取り付けられると、副吸込ダクトジョイント７３ＳＥと副吸込口７０ＳＥが接続される。
【００２９】
熱交換型換気装置１Ａを実装する工程では、図１に示す天井１００を構成する木枠１０２ａに、図２に示す外気ダクト８０ＯＡがＯＡダクトジョイント７３ＯＡに接続され、排気ダクト８０ＥＡがＥＡダクトジョイント７３ＥＡに接続された外気・排気ダクトジョイント取付枠７４ａが取り付けられる。また、天井１００を構成する木枠１０２ｂに、給気ダクト８０ＳＡが全てあるいは所定のＳＡダクトジョイント７３ＳＡに接続された給気ダクトジョイント取付枠７４ｂが取り付けられる。更に、図示されない木枠に、副吸込ダクト８０ＳＥが副吸込ダクトジョイント７３ＳＥに接続された副吸込ダクトジョイント取付枠７４ｃが取り付けられる。
【００３０】
天井１００の木枠に取り付けられた外気・排気ダクトジョイント取付枠７４ａと、給気ダクトジョイント取付枠７４ｂと、副吸込ダクトジョイント取付枠７４ｃは、取付金具７５等により連結されて、図４に示すように一体に構成される。
【００３１】
熱交換型換気装置１Ａの本体部２Ａは、天井１００を構成する各木枠と、各木枠に取り付けられた外気・排気ダクトジョイント取付枠７４ａと給気ダクトジョイント取付枠７４ｂと副吸込ダクトジョイント取付枠７４ｃとで構成される開口部に下方から挿入され、外気・排気ダクトジョイント取付枠７４ａ及び給気ダクトジョイント取付枠７４ｂと、各木枠に取り付けられて、天井１００に固定される。
【００３２】
熱交換型換気装置１Ａの本体部２Ａが固定された天井１００には、本体部２Ａの下面が露出するように天井パネル１０１が取り付けられ、天井パネル１０１から露出させた本体部２Ａの下面にフロントパネル３が取り付けられる。
【００３３】
図５は、本実施の形態の防火ダンパの一例を示す斜視図、図６は、本実施の形態の防火ダンパの一例を示す側断面図である。また、図７は、防火ダンパが取り付けられたＯＡダクトジョイントの一例を示す側断面図、図８は、防火ダンパが取り付けられたＯＡダクトジョイントが設けられた外気・排気ダクトジョイント取付枠の一例を示す斜視図であり、次に、各図を参照して、熱交換型換気装置１Ａに設けられる防火ダンパについて説明する。
【００３４】
防火ダンパ９は吸込防止手段の一例で、本体部２Ａに吸い込まれる空気が通る風路中に設けられる。本実施の形態では、給気ファン４ＳＡの動作で本体部２Ａに吸い込まれる外気ＯＡが通るＯＡダクトジョイント７３ＯＡと、排気ファン４ＥＡの動作で本体部２Ａに吸い込まれる室内の空気が通る副吸込ダクトジョイント７３ＳＥに防火ダンパ９が設けられる。
【００３５】
防火ダンパ９は、円筒形状の風路形成部材９０と、軸９１ａを支点とした回転動作で、風路形成部材９０の開閉を行う２枚の遮蔽部材９１と、遮蔽部材９１を開く方向に付勢するバネ９２と、風路を開いた２枚の遮蔽部材９１を開状態に保持し、所定の温度の検知で開状態を解除する温度ヒューズ９３と、遮蔽部材９１の開く角度を規制して、通常時の温度ヒューズ９３の外れを防止する抜け止め金具９４を備える。
【００３６】
遮蔽部材９１は遮蔽手段の一例で、それぞれ半円形の金属の板材で構成され、直線状の辺部が金属製の軸９１ａにより回転可能に連結される。バネ９２は付勢手段の一例で、金属製のねじりコイルバネで構成され、コイル部が軸９１ａに取り付けられ、コイル部の両側から延びる図示されない脚部が、それぞれ遮蔽部材９１に当接する。
【００３７】
２枚の遮蔽部材９１は、互いが略平行となるように、円弧形状の外周部分を近づける方向に軸９１ａを支点にして折り畳まれることで、バネ９２を弾性変形させた状態で風路を開いた開状態となる。また、２枚の遮蔽部材９１は、弾性変形させたバネ９２が復元する力で、軸９１ａを支点にして略円形となるように開くことで、風路を閉じた閉状態となる。
【００３８】
風路形成部材９０は金属の板材で構成され、軸９１ａを支持する側の端部の内周に、閉状態の遮蔽部材９１の外周部分が当接するストッパ９０ａが突出形成され、バネ９２が復元する力で閉状態となる遮蔽部材９１の外周部分がストッパ９０ａに押圧され、閉状態を保持できるようになっている。
【００３９】
温度ヒューズ９３は温度検知手段の一例で、所定の温度で溶解する金属材料で構成される。温度ヒューズ９３は、開状態とした２枚の遮蔽部材９１の先端部分に取り付けられ、遮蔽部材９１を開状態で保持する。温度ヒューズ９３は、所定の温度、本例では７２℃以上で溶解して遮蔽部材９１から外れる。これにより、バネ９２の復元力で遮蔽部材９１が開いて閉状態となる。
【００４０】
図７及び図８では、防火ダンパ９がＯＡダクトジョイント７３ＯＡに取り付けられた状態を示す。防火ダンパ９は、温度ヒューズ９３が図１等に示す本体部２Ａ側となる向きで、ＯＡダクトジョイント７３ＯＡの内側に取り付けられる。ＯＡダクトジョイント７３ＯＡの内周と防火ダンパ９の風路形成部材９０の外周の直径は合わせられており、遮蔽部材９１が開状態では、ＯＡダクトジョイント７３ＯＡを通る風路が形成される。また、遮蔽部材９１が閉状態では、ＯＡダクトジョイント７３ＯＡを通る風路が閉塞される。
【００４１】
なお、防火ダンパ９が副吸込ダクトジョイント７３ＳＥに取り付けられる構成についても、図７及び図８で説明したＯＡダクトジョイント７３ＯＡに防火ダンパ９取り付ける構成と同じである。
【００４２】
＜熱交換型換気装置の設置例＞
図９は、第１の実施の形態としての熱交換型換気装置の設置例を示す建物の構成図である。なお、図９では、建物２００は一戸建ての住宅を例にしている。
【００４３】
建物２００は、壁等によって仕切られた複数の部屋Ｒ１，Ｒ２，Ｒ３及び廊下Ｒ４等を備える。部屋Ｒ１，Ｒ２，Ｒ３及び廊下Ｒ４を仕切る壁及び扉には、図示しないガラリを備える。また、扉の下部にアンダーカットを備える。
【００４４】
建物２００は、例えば廊下Ｒ４の天井裏に、図１に示すフロントパネル３を室内に露出させる形態で、熱交換型換気装置１Ａが設置される。また、部屋Ｒ１，Ｒ２，Ｒ３の天井に給気グリル２０１が取り付けられる。
【００４５】
熱交換型換気装置１Ａは、図２等に示す４個のＳＡダクトジョイント７３ＳＡに、それぞれ給気ダクト８０ＳＡが接続され、４本の給気ダクト８０ＳＡのそれぞれは、部屋Ｒ１，Ｒ２，Ｒ３の天井に設置された給気グリル２０１まで延在して、給気グリル２０１に接続される。ここで、部屋Ｒ１は、例えばリビングルームであって、リビングルーム等のように面積が広い部屋は、給気グリル２０１を２箇所に設置しても良い。
【００４６】
熱交換型換気装置１Ａは、図２等に示すＯＡダクトジョイント７３ＯＡに外気ダクト８０ＯＡが接続され、外気ダクト８０ＯＡは、建物２００の屋外に面した壁に設置された図示しない屋外グリルと接続される。
【００４７】
また、熱交換型換気装置１Ａは、図２に示すＥＡダクトジョイント７３ＥＡに排気ダクト８０ＥＡが接続され、排気ダクト８０ＥＡは、建物２００の屋外に面した壁に設置された図示しない屋外グリルと接続される。
【００４８】
更に、熱交換型換気装置１Ａは、図２等に示す副吸込ダクトジョイント７３ＳＥに副吸込ダクト８０ＳＥが接続され、副吸込ダクト８０ＳＥは、トイレの天井に設置された副吸込グリル２０２に接続される。
【００４９】
熱交換型換気装置１Ａのフロントパネル３に形成された吸込グリル３０は、廊下Ｒ４に位置している。そして、建物２００は、扉に設けたアンダーカットやガラリ等の開口部を通して各部屋Ｒ１，Ｒ２，Ｒ３と廊下Ｒ４との間等で空気が流れる構成である。
【００５０】
これにより、各部屋Ｒ１，Ｒ２，Ｒ３の給気グリル２０１から給気ＳＡが吹き出されると共に、各部屋Ｒ１，Ｒ２，Ｒ３の空気が、アンダーカットやガラリ等の開口部を通り廊下Ｒ４の熱交換型換気装置１Ａから吸い込まれる空気の流れが形成される。また、トイレ内の空気は、副吸込グリル２０２から吸い込まれることで、トイレ内の臭気が、熱交換型換気装置１Ａの吸込グリル３０に吸い込まれる空気の流れで他室に漏れないようになっている。
【００５１】
＜熱交換型換気装置の動作例＞
次に、各図を参照して、第１の実施の形態としての熱交換型換気装置１Ａの動作について説明する。
【００５２】
熱交換型換気装置１Ａは、給排気が機械換気で行われる第１種換気システムを構成し、所定時間で建物２００の空気が入れ替えられる換気風量で、２４時間連続運転される。すなわち、熱交換型換気装置１Ａでは、給気ファン４ＳＡと排気ファン４ＥＡが、所定の換気風量が得られる回転数で駆動される。
【００５３】
熱交換型換気装置１Ａは、ファンモータ４１Ｍで給気ファン４ＳＡが駆動されると、給気風路２０ＳＡにおいてファン吸込口４２ＳＡから空気が吸い込まれ、ファン吸込口４２ＳＡから吸い込まれた空気がファン吹出口４３ＳＡから吹き出される。
【００５４】
また、熱交換型換気装置１Ａは、ファンモータ４１Ｍで排気ファン４ＥＡが駆動されると、排気風路２０ＥＡにおいてファン吸込口４２ＥＡから空気が吸い込まれ、ファン吸込口４２ＥＡから吸い込まれた空気が図示されないファン吹出口から吹き出される。
【００５５】
これにより、熱交換型換気装置１Ａでは、建物２００の外壁の屋外グリルから、外気ダクト８０ＯＡを通りＯＡダクトジョイント７３ＯＡから給気風路２０ＳＡへ外気ＯＡが吸い込まれ、熱交換素子５を通って給気ＳＡが吹き出される。
【００５６】
また、アンダーカットやガラリ等の図示しない開口部を通して、廊下Ｒ４に面したフロントパネル３の吸込グリル３０から排気風路２０ＥＡへ各部屋Ｒ１〜Ｒ３からの還気ＲＡが吸い込まれ、熱交換素子５を通った排気ＥＡが、排気ダクト８０ＥＡを通り建物２００の外壁の屋外グリルから屋外へ排出される。
【００５７】
そして、給気風路２０ＳＡを通る外気ＯＡと排気風路２０ＥＡを通る還気ＲＡが、熱交換素子５を通ることで熱交換されて、室温に近づけられた給気ＳＡが、給気グリル２０１から室内に吹き出されることで、温度が調整された新鮮な空気（外気）が、室内に供給される。また、室内の汚れた空気が屋外に排気される。
【００５８】
さて、熱交換型換気装置１Ａの本体部２Ａに吸い込まれる空気の温度が、ＯＡダクトジョイント７３ＯＡに設けた防火ダンパ９の温度ヒューズ９３により検知されている。防火ダンパ９は、ＯＡダクトジョイント７３ＯＡを通り本体部２Ａに吸い込まれる空気の温度が所定の温度を下回っていれば、温度ヒューズ９３により遮蔽部材９１が開状態で保持される。
【００５９】
一方、ＯＡダクトジョイント７３ＯＡを通り本体部２Ａに吸い込まれる空気の温度が所定の温度以上となると、温度ヒューズ９３が溶解して遮蔽部材９１から外れ、バネ９２の復元力で遮蔽部材９１が開いて風路が閉状態となる。
【００６０】
これにより、給気ファン４ＳＡの駆動が継続されても、ＯＡダクトジョイント７３ＯＡを通り本体部２Ａに空気が吸い込まれず、所定の温度以上の熱が本体部２Ａに吸い込まれることが防止されて、本体部２Ａが熱から保護される。
【００６１】
万一、建物２００の天井裏で火災が発生して、外気ダクト８０ＯＡに延焼した場合、火災による熱が防火ダンパ９の温度ヒューズ９３で検知され、温度ヒューズ９３が溶解して防火ダンパ９でＯＡダクトジョイント７３ＯＡが閉塞される。
【００６２】
これにより、給気ファン４ＳＡの駆動が継続されても、ＯＡダクトジョイント７３ＯＡを通り本体部２Ａに吸い込まれる空気の流れが遮断される。防火ダンパ９は、遮蔽部材９１等が金属材料で構成されるので、火災の熱で溶解することはなく、火災による熱が本体部２Ａに吸い込まれることが防止されて、本体部２Ａへの延焼を防止することができる。
【００６３】
副吸込ダクトジョイント７３ＳＥにも同様に防火ダンパ９を備えることで、副吸込ダクトジョイント７３ＳＥを通り本体部２Ａに吸い込まれる空気の温度が所定の温度以上となると、防火ダンパ９で副吸込ダクトジョイント７３ＳＥが閉塞され、所定の温度以上の熱が本体部２Ａに吸い込まれることが防止されて、本体部２Ａが熱から保護される。
【００６４】
防火ダンパ９は、温度ヒューズ９３が本体部２Ａ側となる向きでＯＡダクトジョイント７３ＯＡ及び副吸込ダクトジョイント７３ＳＥに取り付けられている。熱交換型換気装置１Ａは、図４に示すように、ＯＡダクトジョイント７３ＯＡが取り付けられた外気・排気ダクトジョイント取付枠７４ａ等が本体部２Ａと独立した形態で外気・排気ダクトジョイント取付枠７４ａ等と本体部２Ａが別の工程で天井１００に設置される。
【００６５】
これにより、温度ヒューズ９３の点検が必要になった場合等、本体部２Ａを天井１００から取り外せば、外気ダクト８０ＯＡ等が接続された外気・排気ダクトジョイント取付枠７４ａを天井１００から取り外すことなく、温度ヒューズ９３がＯＡダクトジョイント７３ＯＡ内に露出するので、点検作業が容易に行なえる。
【００６６】
一方、防火ダンパ９は、温度ヒューズ９３が本体部２Ａと反対側となる向きで、ＯＡダクトジョイント７３ＯＡ及び副吸込ダクトジョイント７３ＳＥに取り付けられる構成でも良い。このような構成では、本体部２Ａのより手前側で熱の検知が可能となる。
【００６７】
＜第１の実施の形態の送風装置の他の構成例＞
本発明の送風装置としては、上述した熱交換型換気装置以外に、熱交換機能を有していない換気装置であっても良く、例えば、中間ダクトファンと称される換気装置にも適用可能である。
【００６８】
図１０は、本発明の送風装置の第１の実施の形態の他の例としての中間ダクトファンの一例を示す内部構成図、図１１は、本発明の送風装置の第１の実施の形態の他の例としての中間ダクトファンの点検状態を示す内部構成図である。
【００６９】
第１の実施の形態の他の例としての中間ダクトファン１Ｂは、本体部２Ｂが建物の天井１００内に埋め込まれる形態で取り付けられる。中間ダクトファン１Ｂは、屋外から外気ＯＡを吸い込んで室内へ給気ＳＡを吹き出す空気の流れを発生させる送風手段である給気ファンユニット４４ＳＡを本体部２Ｂに備える。給気ファンユニット４４ＳＡは、ファンモータ４４Ｍと、ファンモータ４４Ｍに回転駆動される給気ファン４５ＳＡと、給気風路２３ＳＡを構成する給気ファンケース４６ＳＡを備え、本体部２Ｂに対して着脱可能に構成される。
【００７０】
給気ファンケース４６ＳＡは、給気ファン４５ＳＡの軸方向に沿った下部にファン吸込口４７ＳＡが形成され、給気ファン４５ＳＡの接線方向にファン吹出口４８ＳＡが形成される。
【００７１】
本体部２Ｂは、下面が開口した直方体形状を有し、金属材料で構成される。本体部２Ｂは、給気風路２３ＳＡの吸込側とつながる外気吸込口７６ＯＡが、一方の側面に開口を設けて形成される。また、本体部２Ｂは、給気風路２３ＳＡの吹出側とつながる給気吹出口７６ＳＡが、他方の側面に開口を設けて形成される。
【００７２】
中間ダクトファン１Ｂは、本体部２Ｂの下面にカバー２４が着脱可能にとりつけられ、図１１に示すように、カバー２４を本体部２Ｂから取り外すことで、給気ファンユニット４４ＳＡが本体部２Ｂから着脱可能となっている。
【００７３】
中間ダクトファン１Ｂは、給気ファン４５ＳＡで吸い込まれる外気ＯＡを清浄するＯＡフィルタ８Ｃを備える。ＯＡフィルタ８Ｃは、外気吸込口７６ＯＡの内側の本体部２Ｂに縦向きに取り付けられ、カバー２４に設けられた着脱口カバー２４ａを開けることで、上下方向の移動で本体部２Ｂに対して着脱が行われる。
【００７４】
中間ダクトファン１Ｂは、外気吸込口７６ＯＡが形成される本体部２Ｂの一方の側面に、外気吸込口７６ＯＡと接続されるＯＡダクトジョイント７７ＯＡを備える。また、中間ダクトファン１Ｂは、給気吹出口７６ＳＡが形成される本体部２Ｂの他方の側面に、給気吹出口７６ＳＡと接続されるＳＡダクトジョイント７７ＳＡを備える。
【００７５】
中間ダクトファン１Ｂは、ＯＡダクトジョイント７７ＯＡに、図示しない建物の外壁に設けた屋外グリルと繋がる外気ダクト８１ＯＡが接続され、ＳＡダクトジョイント７７ＳＡに、図示しない建物の部屋の天井等に設けた給気グリルと繋がる給気ダクト８１ＳＡが接続される。
【００７６】
中間ダクトファン１Ｂは、図５及び図６等で説明した防火ダンパ９を、本体部２Ｂに吸い込まれる空気が通る風路を構成するＯＡダクトジョイント７７ＯＡに備える。防火ダンパ９は、温度ヒューズ９３が図１１等に示す本体部２Ｂ側となる向きで、ＯＡダクトジョイント７７ＯＡの内側に取り付けられる。
【００７７】
＜中間ダクトファンの動作例＞
中間ダクトファン１Ｂは、ファンモータ４４Ｍで給気ファン４５ＳＡが駆動されると、給気風路２３ＳＡにおいてファン吸込口４７ＳＡから空気が吸い込まれ、ファン吸込口４７ＳＡから吸い込まれた空気がファン吹出口４８ＳＡから吹き出される。
【００７８】
これにより、中間ダクトファン１Ｂでは、図示しない建物の外壁の屋外グリルから、外気ダクト８１ＯＡを通りＯＡダクトジョイント７７ＯＡから給気風路２３ＳＡへ外気ＯＡが吸い込まれ、ＳＡダクトジョイント７７ＳＡから給気ダクト８１ＳＡを通り給気ＳＡが吹き出される。
【００７９】
中間ダクトファン１Ｂでも、本体部２Ｂに吸い込まれる空気の温度が、ＯＡダクトジョイント７７ＯＡに設けた防火ダンパ９の温度ヒューズ９３により検知されている。防火ダンパ９は、ＯＡダクトジョイント７７ＯＡを通り本体部２Ｂに吸い込まれる空気の温度が所定の温度を下回っていれば、温度ヒューズ９３により遮蔽部材９１が開状態で保持される。
【００８０】
一方、ＯＡダクトジョイント７７ＯＡを通り本体部２Ｂに吸い込まれる空気の温度が所定の温度以上となると、温度ヒューズ９３が溶解して遮蔽部材９１から外れ、バネの復元力で遮蔽部材９１が開いて風路が閉状態となる。
【００８１】
これにより、給気ファン４５ＳＡの駆動が継続されても、ＯＡダクトジョイント７７ＯＡを通り本体部２Ｂに空気が吸い込まれず、所定の温度以上の熱が本体部２Ｂに吸い込まれることが防止されて、本体部２Ｂが熱から保護される。
【００８２】
万一、建物の天井裏で火災が発生して、外気ダクト８１ＯＡに延焼した場合、火災による熱が防火ダンパ９の温度ヒューズ９３で検知され、温度ヒューズ９３が溶解して防火ダンパ９でＯＡダクトジョイント７７ＯＡが閉塞される。
【００８３】
これにより、給気ファン４５ＳＡの駆動が継続されても、ＯＡダクトジョイント７７ＯＡを通り本体部２Ｂに吸い込まれる空気の流れが遮断される。防火ダンパ９は、遮蔽部材９１等が金属材料で構成されるので、火災の熱で溶解することはなく、火災による熱が本体部２Ｂに吸い込まれることが防止されて、本体部２Ｂへの延焼を防止することができる。
【００８４】
中間ダクトファン１Ｂは、図１１に示すように、天井パネル１０３に形成された点検口１０３ａを覆う点検蓋１０４を開け、カバー２４を本体部２Ｂから取り外すことで、給気ファンユニット４４ＳＡが本体部２Ｂから着脱可能となっている。
【００８５】
これにより、温度ヒューズ９３の点検が必要になった場合等、給気ファンユニット４４ＳＡを本体部２Ｂから取り外せば、外気ダクト８１ＯＡ等が接続された本体部２Ｂを天井１００から取り外すことなく、温度ヒューズ９３がＯＡダクトジョイント７７ＯＡ内に露出するので、点検作業が容易に行なえる。
【００８６】
＜第２の実施の形態の送風装置の構成例＞
図１２は、本発明の送風装置の第２の実施の形態としての熱交換型換気装置の一例を示す内部構成図、図１３は、本発明の送風装置の第２の実施の形態としての熱交換型換気装置の一例を示す機能ブロック図である。
【００８７】
第２の実施の形態としての熱交換型換気装置１Ｃは、温度検知手段として、本体部２Ｃ内に吸い込まれる外気ＯＡの温度を検知する温度ヒューズ１１１を備え、吸込防止手段を、温度ヒューズ１１１で検知される外気ＯＡの温度に基づく制御機能で実現したものである。熱交換型換気装置１Ｃの他の構成は、図１等で説明したものと同じで良い。
【００８８】
熱交換型換気装置１Ｃは、ファンモータ４１Ｍを駆動する制御手段としての制御基板１１２と、熱交換型換気装置１Ｃを操作するリモートコントロール装置１１３を備え、ファンモータ４１Ｍに電気を供給する電源１１４と、制御基板１１２との間の電源線１１４ａに温度ヒューズ１１１が実装される。
【００８９】
温度ヒューズ１１１は、外気吸込口７０ＯＡの内側で給気ファン４ＳＡより上流側の給気風路２０ＳＡに実装され、本体部２Ｃに吸い込まれる外気ＯＡの温度を検知する。
【００９０】
熱交換型換気装置１Ｃは、ＯＡダクトジョイント７３ＯＡを通り本体部２Ｃに吸い込まれる空気の温度が所定の温度を下回っていれば、温度ヒューズ１１１により電源１１４と制御基板１１２との間が電気的に接続され、電源１１４から制御基板１１２へ電気が供給される。
【００９１】
一方、本体部２Ｃに吸い込まれる空気の温度が所定の温度、本例では７２℃以上になると、温度ヒューズ１１１が溶解して、電源１１４から制御基板１１２への電気の供給が遮断される。これにより、給気ファン４ＳＡが停止するので、本体部２Ｃに吸い込まれる空気の流れが発生せず、所定の温度以上の熱が本体部２Ｃに吸い込まれることが防止されて、本体部２Ｃが熱から保護される。
【００９２】
万一、熱交換型換気装置１Ｃが設置される建物の天井裏で火災が発生して、外気ダクト８０ＯＡに延焼した場合、火災による熱が温度ヒューズ１１１で検知され、温度ヒューズ１１１が溶解して、電源１１４から制御基板１１２への電気の供給が遮断される。
【００９３】
これにより、給気ファン４ＳＡが停止するので、本体部２Ｃに吸い込まれる空気の流れが発生せず、火災による熱が本体部２Ｃに吸い込まれることが防止されて、本体部２Ｃへの延焼を防止することができる。
【００９４】
なお、図１２に示す例では、外気吸込口７０ＯＡの内側の本体部２Ｃ内に温度ヒューズ１１１を設けることとした。温度ヒューズ１１１を本体部２Ｃ内に設ける構成では、熱交換型換気装置１Ｃの設置時に、温度ヒューズの配線作業が不要である。
【００９５】
これに対して、温度ヒューズ１１１をＯＡダクトジョイント７３ＯＡに設けることとしても良い。温度ヒューズ１１１をＯＡダクトジョイント７３ＯＡに設ける構成では、図４に示すように、ＯＡダクトジョイント７３ＯＡ等が設けられる外気・排気ダクトジョイント取付枠７４ａ等と、本体部２Ｃが独立した構成の場合、熱交換型換気装置１Ｃの設置時に、温度ヒューズ１１１の配線作業が必要となる。一方、本体部２Ｃに吸い込まれる前の空気の温度を検知可能となる。
【００９６】
また、温度ヒューズ１１１を、副吸込口７０ＳＥまたは副吸込ダクトジョイント７３ＳＥにも備えても良い。更に、図１等で説明した第１の実施の形態としての熱交換型換気装置１Ａに、吸込防止手段を、温度ヒューズ１１１で検知される外気ＯＡの温度に基づく制御機能で実現する構成を追加し、本体部に吸い込まれる空気の温度が所定の温度になると、防火ダンパでダクトジョイントを閉じると共に、給気ファンと排気ファンの駆動を停止する構成としても良い。また、吸込防止手段を、温度ヒューズ１１１で検知される外気ＯＡの温度に基づく制御機能で実現する送風装置は、熱交換型換気装置に限るものではなく、例えば、図１０で説明した中間ダクトファンでも良い。
【００９７】
＜第３の実施の形態の送風装置の構成例＞
図１４は、本発明の送風装置の第３の実施の形態としての熱交換型換気装置の一例を示す内部構成図、図１５は、本発明の送風装置の第３の実施の形態としての熱交換型換気装置の一例を示す機能ブロック図、図１６は、本発明の送風装置の第３の実施の形態としての熱交換型換気装置の動作の一例を示すフローチャートである。
【００９８】
第３の実施の形態としての熱交換型換気装置１Ｄは、温度検知手段として、本体部２Ｄ内に吸い込まれる外気ＯＡの温度を検知するサーミスタ１１５を備え、吸込防止手段を、サーミスタ１１５で検知される外気ＯＡの温度に基づく制御機能で実現したものである。熱交換型換気装置１Ｄの他の構成は、図１等で説明したものと同じで良い。
【００９９】
熱交換型換気装置１Ｄは、ファンモータ４１Ｍを駆動する制御手段としての制御基板１１６と、熱交換型換気装置１Ｄを操作するリモートコントロール装置１１３を備え、制御基板１１６は、サーミスタ１１５で検知される空気の温度に基づき、ファンモータ４１Ｍの駆動と停止を制御する。
【０１００】
サーミスタ１１５は、外気吸込口７０ＯＡの内側で給気ファン４ＳＡより上流側の給気風路２０ＳＡに実装され、本体部２Ｄに吸い込まれる外気ＯＡの温度を検知する。
【０１０１】
熱交換型換気装置１Ｄは、図１６のステップＳＡ１で、ファンモータ４１Ｍを駆動して給気ファン４ＳＡと排気ファン４ＥＡを回転させ、換気運転を実行すると、制御基板１１６は、サーミスタ１１５の出力から本体部２Ｄに吸い込まれる空気、通常は外気ＯＡの温度を監視する。
【０１０２】
図１６のステップＳＡ２で、ＯＡダクトジョイント７３ＯＡを通り本体部２Ｄに吸い込まれる空気の温度が所定の温度を下回っていると判断すると、制御基板１１６は、ファンモータ４１Ｍの駆動を継続する。
【０１０３】
一方、ステップＳＡ２で、本体部２Ｄに吸い込まれる空気の温度が所定の温度、本例では７２℃以上になったと判断すると、図１６のステップＳＡ３で、制御基板１１６は、ファンモータ４１Ｍの駆動を停止する。これにより、給気ファン４ＳＡが停止するので、本体部２Ｄに吸い込まれる空気の流れが発生せず、所定の温度以上の熱が本体部２Ｄに吸い込まれることが防止されて、本体部２Ｄが熱から保護される。
【０１０４】
ファンモータ４１Ｍの駆動を停止した後、制御基板１１６は、サーミスタ１１５の出力から本体部２Ｄに吸い込まれる空気の温度を監視し、図１６のステップＳＡ４で、ＯＡダクトジョイント７３ＯＡを通り本体部２Ｄに吸い込まれる空気の温度が所定の温度、本例では６５℃を下回っていると判断すると、ファンモータ４１Ｍの駆動を再開する。
【０１０５】
万一、熱交換型換気装置１Ｄが設置される建物の天井裏で火災が発生して、外気ダクト８０ＯＡに延焼した場合、火災による熱がサーミスタ１１５で検知され、制御基板１１６は、熱の検知でファンモータ４１Ｍの駆動を停止する。
【０１０６】
これにより、給気ファン４ＳＡが停止するので、本体部２Ｄに吸い込まれる空気の流れが発生せず、火災による熱が本体部２Ｄに吸い込まれることが防止されて、本体部２Ｄへの延焼を防止することができる。
【０１０７】
なお、図１４に示す例では、外気吸込口７０ＯＡの内側の本体部２Ｄ内にサーミスタ１１５を設けることとした。サーミスタ１１５を本体部２Ｄ内に設ける構成では、熱交換型換気装置１Ｄの設置時に、サーミスタの配線作業が不要である。
【０１０８】
これに対して、サーミスタ１１５をＯＡダクトジョイント７３ＯＡに設けることとしても良い。サーミスタ１１５をＯＡダクトジョイント７３ＯＡに設ける構成では、図４に示すように、ＯＡダクトジョイント７３ＯＡ等が設けられる外気・排気ダクトジョイント取付枠７４ａ等と、本体部２Ｄが独立した構成の場合、熱交換型換気装置１Ｄの設置時に、サーミスタ１１５の配線作業が必要となる。一方、本体部２Ｄに吸い込まれる前の空気の温度を検知可能となる。
【０１０９】
また、サーミスタ１１５を、副吸込口７０ＳＥまたは副吸込ダクトジョイント７３ＳＥにも備えても良い。更に、図１等で説明した第１の実施の形態としての熱交換型換気装置１Ａに、吸込防止手段を、サーミスタ１１５で検知される外気ＯＡの温度に基づく制御機能で実現する構成を追加し、本体部に吸い込まれる空気の温度が所定の温度になると、防火ダンパでダクトジョイントを閉じると共に、給気ファンと排気ファンの駆動を停止する構成としても良い。また、吸込防止手段を、サーミスタ１１５で検知される外気ＯＡの温度に基づく制御機能で実現する送風装置は、熱交換型換気装置に限るものではなく、例えば、図１０で説明した中間ダクトファンでも良い。
【０１１０】
＜他の実施の形態の送風装置の構成例＞
図１７は、本発明の送風装置の他の実施の形態としての空気清浄装置の一例を示す内部構成図、図１８は、本発明の送風装置の他の実施の形態としての空気清浄装置の一例を示す分解斜視図である。
【０１１１】
第１の実施の形態の他の例としての空気清浄装置１Ｅは、室内の空気と外気を取り込み、取り込んだ空気を室内に給気する循環ファン１２０と、室内の空気を取り込み、取り込んだ空気を屋外に排気する換気ファン１２１と、循環ファン１２０で取り込む外気及び室内の空気を清浄する空気清浄フィルタ１２２を備える。
【０１１２】
循環ファン１２０は、風路を形成する循環ファンケース１２０ａに収容され、循環ファンモータ１２０Ｍに駆動される。循環ファンケース１２０ａは、循環ファン１２０の軸方向に沿った上面を開口して形成された外気・循環吸込口１２０ｂと、循環ファン１２０の接線方向に沿って形成される風路と連通する循環吹出口１２０ｃを備える。
【０１１３】
換気ファン１２１は、風路を形成する換気ファンケース１２１ａに収容され、換気ファンモータ１２１Ｍに駆動される。換気ファンケース１２１ａは、換気ファン１２１の軸方向に沿った下面を開口して形成された換気吸込口１２１ｂと、換気ファン１２１の接線方向に沿って形成される風路と連通する換気吹出口１２１ｃを備える。
【０１１４】
循環ファンケース１２０ａと換気ファンケース１２１ａは、循環ファンケース１２０ａを上側として上下に重ねて本体部１２３に収容され、循環ファンケース１２０ａの上面と、本体部１２３の天井面との間に給気・循環風路１２４が形成される。
【０１１５】
空気清浄装置１Ｅはイオン発生器１２５を備える。イオン発生器１２５は、イオンを発生する図示しない放電面が循環ファンケース１２０ａの内部に露出するように取り付けられ、循環ファンケース１２０ａによって形成される風路中にイオンが供給される。
【０１１６】
イオン発生器１２５は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【０１１７】
これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで不活化することができる。ここで、・ＯＨは活性種の１種であり、ラジカルのＯＨを示している。
【０１１８】
これにより、略同数の正イオンと負イオンを発生させる正負イオン発生モードを備えて、略同数の正イオンと負イオンを含む空気を吹き出すことで、空気中の浮遊細菌を不活化して、カビの発生を抑えることができる。
【０１１９】
また、負イオンのみもしくは負イオンを正イオンより多く発生させるような負イオン発生モードを備えて、負イオンを含む空気を吹き出すと、精神を安定させ、呼吸器の機能を高める等のリラックス効果があると言われている。  
【０１２０】
空気清浄装置１Ｅは、本体部１２３の内部で循環ファンケース１２０ａ及び換気ファンケース１２１ａの側部に空気清浄フィルタ１２２が着脱可能に取り付けられる。
【０１２１】
空気清浄フィルタ１２２は、パネル部材１２２ａに例えばＨＥＰＡ（High Efficiency Particulate Air）フィルタを備える。パネル部材１２２ａは、ＨＥＰＡフィルタが縦向きに取り付けられ、ＨＥＰＡフィルタの取付位置の下面に循環吸込グリル１２２ｂが形成される。
【０１２２】
本体部１２３は、外気・循環吸込口１２０ｂとつながる外気吸込口１２３ａが一の側面に形成され、外気吸込口１２３ａが形成される本体部１２３の一方の側面に、外気吸込口１２３ａと接続されるＯＡダクトジョイント１２６ＯＡを備える。また、本体部１２３は、他の側面に換気吹出口１２１ｃと接続されるＥＡダクトジョイント１２６ＥＡを備える。
【０１２３】
空気清浄装置１Ｅは、ＯＡダクトジョイント１２６ＯＡに、建物の外壁に設けた屋外グリルと繋がる外気ダクトが接続され、ＥＡダクトジョイント１２６ＥＡに、建物の外壁に設けた屋外グリルと繋がる排気ダクトが接続される。
【０１２４】
空気清浄装置１Ｅは、吸込防止手段及び温度検知手段として、図５及び図６等で説明した防火ダンパ９を、本体部１２３に吸い込まれる空気が通る風路を構成するＯＡダクトジョイント１２６ＯＡに備える。防火ダンパ９は、温度ヒューズ９３が図１１等に示す本体部１２３側となる向きで、ＯＡダクトジョイント１２６ＯＡの内側に取り付けられる。
【０１２５】
本体部１２３は、下面にフロントパネル１２７が取り付けられる。フロントパネル１２７は、換気吸込口１２１ｂの下面を覆うカバー部１２８と、カバー部１２８の側面に形成され、換気吸込口１２１ｂと連通した換気吸込開口部１２９と、カバー部１２８に形成され、循環吹出口１２０ｃと連通した循環吹出グリル１３０を備える。
【０１２６】
＜空気清浄装置の設置例＞
図１９は、他の実施の形態としての空気清浄装置の設置例を示す建物の構成図である。建物２５０は、居室２５１の天井２５２に空気清浄装置１Ｅが設置される。空気清浄装置１Ｅは、フロントパネル１２７が天井２５２に露出しており、清浄した給気ＳＡを図１７等に示す循環吹出グリル１３０から居室２５１に吹き出すと共に、換気吸込開口部１２９から居室２５１内の還気ＲＡを吸い込む。更に、循環吸込グリル１２２ｂから、居室２５１内の還気ＲＡを吸い込む。
【０１２７】
建物２５０は、外壁に屋外グリル２５３ＯＡと屋外グリル２５３ＥＡが取り付けられる。空気清浄装置１Ｅは、図１７等に示すＯＡダクトジョイント１２６ＯＡが外気ダクト２５４ＯＡを介して屋外グリル２５３ＯＡと接続され、外気ＯＡを吸い込む。また、ＥＡダクトジョイント１２６ＥＡが排気ダクト２５４ＥＡを介して屋外グリル２５３ＥＡと接続され、吸い込んだ室内の空気を排気ＥＡとして排気する。
【０１２８】
なお、建物２５０は、送風装置として、例えば、浴室２５５に２４時間換気機能を備えた浴室乾燥換気装置１Ｆを備え、建物２５０の全体の換気は、浴室乾燥換気装置１Ｆで行うと共に、居室２５１の換気を空気清浄装置１Ｅで補助的に行う。
【０１２９】
浴室乾燥換気装置１Ｆは、フロントパネル２７０に空気の吸込口と吹出口を備える。また、浴室乾燥換気装置１Ｆは、ファン及びヒータ等を有した本体部２７１に取り付けられた副吸込ダクトジョイント２７２に、浴室２５５と隣接する洗面脱衣所２５６の天井に取り付けられた副吸込口２５７と副吸込ダクト２５８を介して接続される。また、本体部２７１に取り付けられた排気ダクトジョイント２７３に、外壁に取り付けられた屋外グリル２５９と排気ダクト２６０を介して接続される。
【０１３０】
浴室乾燥換気装置１Ｆは、浴室２５５内の空気を循環させて送風または温風を吹き出す機能と、浴室２５５内の空気を吸い込んで屋外へ排気する換気機能を備える。
【０１３１】
浴室乾燥換気装置１Ｆにより換気を行うと、浴室２５５及び洗面脱衣所２５６から吸気が行われると共に、ドア２６１のアンダーカット部２６２等から、居室２５１の空気が吸い込まれ、屋外に排気される。そして、浴室乾燥換気装置１Ｆは、建物２５０の全体において、２４時間換気を行うための所定換気回数を満たす換気風量を備えている。
【０１３２】
空気清浄装置１Ｅでも、ダクトを通して本体部１２３に吸い込まれる空気の温度が、ＯＡダクトジョイント１２６ＯＡに設けた防火ダンパ９の温度ヒューズ９３により検知されている。防火ダンパ９は、ＯＡダクトジョイント１２６ＯＡを通り本体部１２３に吸い込まれる空気の温度が所定の温度を下回っていれば、温度ヒューズ９３により遮蔽部材９１が開状態で保持される。
【０１３３】
一方、ＯＡダクトジョイント１２６ＯＡを通り本体部１２３に吸い込まれる空気の温度が所定の温度以上となると、温度ヒューズ９３が溶解して遮蔽部材９１から外れ、バネの復元力で遮蔽部材９１が開いて風路が閉状態となる。
【０１３４】
これにより、循環ファン１２０の駆動が継続されても、ＯＡダクトジョイント１２６ＯＡを通り本体部１２３に空気が吸い込まれず、所定の温度以上の熱が本体部１２３に吸い込まれることが防止されて、本体部１２３が熱から保護される。
【０１３５】
万一、建物２５０の天井裏で火災が発生して、外気ダクト２５４ＯＡに延焼した場合、火災による熱が防火ダンパ９の温度ヒューズ９３で検知され、温度ヒューズ９３が溶解して防火ダンパ９でＯＡダクトジョイント１２６ＯＡが閉塞される。
【０１３６】
これにより、循環ファン１２０の駆動が継続されても、ＯＡダクトジョイント１２６ＯＡを通り本体部１２３に吸い込まれる空気の流れが遮断される。防火ダンパ９は、遮蔽部材９１等が金属材料で構成されるので、火災の熱で溶解することはなく、火災による熱が本体部１２３に吸い込まれることが防止されて、本体部１２３への延焼を防止することができる。
【０１３７】
なお、浴室乾燥換気装置１Ｆの副吸込ダクトジョイント２７２に、吸込防止手段及び温度検知手段として防火ダンパ９を備えることとしても、同様の効果を得られる。また、空気清浄装置１Ｅ及び浴室乾燥換気装置１Ｆでは、第２の実施の形態または第３の実施の形態の送風装置で説明したように、吸込防止手段を、温度検知手段としての温度ヒューズ１１１またはサーミスタ１１５で検知される空気の温度に基づく制御機能で実現しても良い。
【産業上の利用可能性】
【０１３８】
本発明は、ダクトを通して本体部に外気等の空気を吸い込む構成を有した送風装置に適用される。
【符号の説明】
【０１３９】
１Ａ，１Ｃ，１Ｄ・・・熱交換型換気装置、１Ｂ・・・中間ダクトファン、１Ｅ・・・空気清浄装置、１Ｆ・・・浴室換気乾燥装置、２Ａ〜２Ｄ・・・本体部、４ＳＡ・・・給気ファン、４ＥＡ・・・排気ファン、４１Ｍ・・・ファンモータ、５・・・熱交換素子、７・・・キャビネット、７０ＯＡ・・・外気吸込口、７３ＯＡ・・・ＯＡダクトジョイント、７４ａ・・・外気・排気ダクトジョイント取付枠、９・・・防火ダンパ、９０・・・風路形成部材、９１・・・遮蔽部材、９１ａ・・・軸、９２・・・バネ、９３・・・温度ヒューズ、１１１・・・温度ヒューズ、１１２・・・制御基板、１１４・・・電源、１１４ａ・・・電源線、１１５・・・サーミスタ、１１６・・・制御基板
【図１】
2011069554.tif 000003
【図２】
2011069554.tif 000004
【図３】
2011069554.tif 000005
【図４】
2011069554.tif 000006
【図５】
2011069554.tif 000007
【図６】
2011069554.tif 000008
【図７】
2011069554.tif 000009
【図８】
2011069554.tif 000010
【図９】
2011069554.tif 000011
【図１０】
2011069554.tif 000012
【図１１】
2011069554.tif 000013
【図１２】
2011069554.tif 000014
【図１３】
2011069554.tif 000015
【図１４】
2011069554.tif 000016
【図１５】
2011069554.tif 000017
【図１６】
2011069554.tif 000018
【図１７】
2011069554.tif 000019
【図１８】
2011069554.tif 000020
【図１９】
2011069554.tif 000021